(57)【要約】【課題】左右に２つのガスバーナを備えたガスコンロでは、左右のガスバーナの火力が相違するように設定されている。台所の壁側に火力の大きなガスバーナが位置すると、吹きこぼれや油煙が壁面に多量にかかり、壁面の汚れが酷くなる等の理由から、壁側のガスバーナの火力を小さくすることが望まれる。そのため、火力が小さい方のガスバーナが右側に位置するガスコンロと左側に位置するガスコンとの２種類のガスコンロを製造する必要があり、コストの上昇を招いていた。【解決手段】１対のガスバーナと火力調節部とを相互に同一の仕様とし、両火力調節部の火力調節範囲の上限を最大火力より小さい所定の火力に規制する火力制限手段を設けて、いずれか一方の火力調節範囲の上限を規制して他方より火力の小さいガスバーナに設定し得るようにした。【選択図】  図１
2010133622.tif 000002
【特許請求の範囲】
【請求項１】
上面に少なくとも左右１対のガスバーナと、各ガスバーナの各々に１個ずつ接続され、ガスバーナへのガスの供給量を増減して火力を調節する火力調節部とを備えたガスコンロにおいて、上記１対のガスバーナと火力調節部とを相互に同一の仕様とし、両火力調節部の火力調節範囲の上限を最大火力より小さい所定の火力に規制する火力制限手段を設けて、いずれか一方の火力調節範囲の上限を規制して他方より火力の小さいガスバーナに設定し得るようにしたことを特徴とするガスコンロ。
【請求項２】
上記一方の火力調節範囲の上限を制限するための操作部を、ガスコンロの内部に設け、通常の使用時には操作できないようにしたことを特徴とする請求項１に記載のガスコンロ。
【請求項３】
上記火力制限手段による火力調節手段の上限に対する規制を、通常の使用状態で行い得る操作により所定時間解除し得るようにしたことを特徴とする請求項１または請求項２に記載のガスコンロ。
【発明の詳細な説明】
【技術分野】
【０００１】
本発明は、少なくとも左右に並んだ２つのガスバーナを有するガスコンロに関する。
【背景技術】
【０００２】
左右に２つのガスバーナを備えたガスコンロでは、左右のガスバーナの火力が相違するように設定されている。すなわち、一方のガスバーナの火力が他方のガスバーナの火力より小さく設定されている。ガスコンロを台所に設置する場合には、設置場所によってはガスコンロの側方に台所の壁が存在する。この壁側に火力の大きなガスバーナが位置すると、吹きこぼれや油煙が壁面に多量にかかり、壁面の汚れが酷くなる等の理由から、壁側のガスバーナの火力を小さくすることが望まれる。そのため、火力が小さい方のガスバーナが右側に位置するガスコンロと左側に位置するガスコンロとの２種類のガスコンロを製造する必要があり、コストの上昇を招いていた。
【０００３】
そこで、両ガスバーナ用の火力調節部を合体させて共通１個とすると共に、この１個の火力調節部と左右のガスバーナとを金属パイプを介して配管し、左右のガスバーナの配置が逆のガスコンロを製造する際には金属パイプを取り替えることにより対応して、製造コストを下げるようにしたものが知られている（例えば、特許文献１参照）。
【特許文献１】特開２０００−１７９８６２号公報（図３，図４）
【発明の開示】
【発明が解決しようとする課題】
【０００４】
上記従来のものでは２個のガスバーナ用の火力調節部を合体させて１個にしており、金属パイプを取り替えることにより対応する構成ではあるものの、依然として左右の配列が相互に逆である２種類のガスコンロを製造しなければならないことには変わりない。そのため製造コストの低減には限界がある。
【０００５】
そこで本発明は、上記の問題点に鑑み、１種類のガスコンロで左右のガスバーナの火力を自由に変更することのできるガスコンロを提供することを課題とする。
【課題を解決するための手段】
【０００６】
上記課題を解決するために本発明によるガスコンロは、上面に少なくとも左右１対のガスバーナと、各ガスバーナの各々に１個ずつ接続され、ガスバーナへのガスの供給量を増減して火力を調節する火力調節部とを備えたガスコンロにおいて、上記１対のガスバーナと火力調節部とを相互に同一の仕様とし、両火力調節部の火力調節範囲の上限を最大火力より小さい所定の火力に規制する火力制限手段を設けて、いずれか一方の火力調節範囲の上限を規制して他方より火力の小さいガスバーナに設定し得るようにしたことを特徴とする。
【０００７】
上記構成では、左右のガスバーナおよび各ガスバーナにガスを供給する火力調節部を相互に同一の仕様とするため、１種類のガスコンロを製造するだけでよい。そして、火力を小さくしたい方のガスバーナにガスを供給する火力調節部の火力調節範囲の上限を規制することにより、所望する側のガスバーナの火力を小さくすることができる。
【０００８】
なお、上記一方の火力調節範囲の上限を制限するための操作部を、ガスコンロの内部に設け、通常の使用時には操作できないようにすれば、ガスコンロを設置する際に設置場所の条件に合わせていずれか一方のガスバーナの能力を小さくすることができる。また、一旦設定された状態を使用者が解除、または変更できなくすることができる。
【０００９】
ただし、一時的であれば火力の制限を解除してもそれほど不都合はない。そこで、上記火力制限手段による火力調節手段の上限に対する規制を、通常の使用状態で行い得る操作により所定時間解除し得るようにすることが望ましい。
【発明の効果】
【００１０】
以上の説明から明らかなように、本発明は、左右対称な２種類のガスコンロを製造しなくても、設置現場の状況に応じて所望するガスバーナの火力の上限を規制することができるので、ガスコンロの製造コストを低減することができる。また、引っ越しや改築等によりガスコンロの設置状況が変化しても、ガスコンロを買い換えることなく、火力の上限が規制されているガスバーナを左右いずれにするのか自由に変更することができる。
【発明を実施するための最良の形態】
【００１１】
図１を参照して、１は本発明によるガスコンロの一例である。このガスコンロ１には上面である天板１０に左右１対のガスバーナ１１、１２と、中央奥側に小バーナ１３とが設けられている。そして、ガスバーナ１１の点消火および火力調節は点消火ボタンとしての機能を備えた火力調節つまみ２１によって行う。なお、他のガスバーナ１２および小バーナ１３については同様に各火力調節つまみ２２、２３によって点消火および火力調節を行うように構成されている。たとえばガスバーナ１１が消火している状態では火力調節つまみ２１はガスコンロ１の前面に埋没しており、火力調節つまみ２１を少し押し込むとロックが解除されて火力調節つまみ２１が手前に突出する。この火力調節つまみ２１の突出をリードスイッチ等のセンサが検知してガスバーナ１１に点火される。点火された後は火力調節つまみ２１を回動することによりガスバーナ１１の火力を調節することができる。火力調節つまみ２１を左方向に回転させると火力が小さくなり、左方向に回転させ続けると火力は最小火力になる。逆に右方向に回転させると火力は大きくなり、更に右方向に回転させると火力は最大火力になる。２０は電源スイッチである。
【００１２】
このガスコンロ１は台所に設置されるが、本実施の形態ではガスコンロ１の左側に台所の壁３が存在する。この壁３側に近い左側のガスバーナ１２は最大火力が右のガスバーナ１１の最大火力より小さい方が望ましい。但し、両ガスバーナ１１，１２自体は互いに同じ使用のものを用いた。したがって、両ガスバーナ１１，１２の機能としては最大火力は互いに同じである。そこで、ガスバーナ１２にガスを供給する火力調節部の開度を制御して、ガスバーナ１２の火力調節範囲の上限がガスバーナ１２そのものの最大火力より小さい火力になるように規制することとした。なお、両ガスバーナ１１，１２に各々接続されている火力調節部は互いに同一の仕様である。
【００１３】
図２を参照して、４は火力調節部の一例を示す。火力調節部４にはステッピングモータ４１とこのステッピングモータによって駆動される流量絞り部４２とが設けられている。流量絞り部４２にはステッピングモータ４１によって回転される回転板６１とその回転板６１が当接する固定板６２とが設けられており、固定板６２の上面には更にオリフィス板６３が取り付けられている。なお、固定板６２とオリフィス板６３との間には気密性を担保するためのパッキン６４が介設されている。なお、４３は電磁安全弁である。
【００１４】
図３を参照して、回転板６１には円周方向に沿った長穴６ａが上下方向に貫通して設けられている。また、固定板６２およびパッキン６４には長穴６ａと同一の円周上に位置して複数の開口６ｂが開設されている。さらに、オリフィス板６３には各開口６ｂに対応してオリフィス孔６ｃが設けられている。
【００１５】
回転板６１が上方から見て左方向に回転すると、長穴６ａと１個の開口６ｂとが一致する。回転板６１が更に左方向に回転すると長穴６ａに一致する開口６ｂは２個、３個と順次増加する。更に回転板６１が回転すると、長穴６ａに一致する開口６ｂの個数は増加しないが、一致する開口６ｂが順次シフトする。各開口６ｂに対応して設けられているオリフィス孔６ｃは順次直径が大きくなるように設定されており、したがって、回転板６１が回転すると、ガスの通路面積は段階的に順次増加する。そして、ガスの通路面積が増加することによりガスバーナの火力は大きくなる。そして、上記火力調節つまみ２１，２２，２３が操作されると、その操作量が制御部５に入力され、制御部５によってステッピングモータ４１が所定の回転位相になるように駆動される。
【００１６】
図４の（Ａ）を参照して、例えばガスバーナ１１は壁３とは反対側に位置しているので火力を規制する必要がない。そのため火力調節つまみ２１を回転操作して火力を調節すると、図４（Ａ）に示すように階段状に火力が変化する。本実施の形態では弱火である火力１から強火である火力７まで７段階で火力が変化するようにした。
【００１７】
一方、左側のガスバーナ１２の最大火力を規制したので、図４（Ｂ）に示すように、火力調節つまみ２２を右に回し続けても火力６で最大となり、火力７にはならないようにした。
【００１８】
このように、左側のガスバーナ１２の最大火力を規制する場合には，図示しない切替スイッチをガスコンロ１の内部に設けておき、ガスコンロ１を設置する際に設置作業者が設置場所の状況に応じて最大火力を規制する側を選択できるようにした。したがって、壁３が右側に位置する場合には、ガスバーナ１２ではなくガスバーナ１１の最大火力を規制するように切替スイッチを選択すればよい。このように、切替スイッチをガスコンロ１の内部に設けたのは、ガスコンロ１が設置された後は使用者が最大火力の規制を解除できないようにするためである。なお、切替スイッチをガスコンロ１内に設けずに、ガスコンロ１の前面に設けた各種スイッチ類を通常行わない操作、いわゆる隠し操作をすることにより所望する側のガスバーナの最大火力を規制するようにしてもよい。
【００１９】
ところで、ガスコンロ１の前面には、図５に示すように、火力調節つまみ２１，２２の近傍にインジケータ２５を設けた。このインジケータ２５は内側のリング２５ａとそれを囲繞する外側のリング２５ｂとから構成されており、両リング２５ａ、２５ｂは共に個別に点消灯、および点滅ができるように構成されている。本実施の形態では左側のガスバーナ１２の最大火力が規制されているので、内側のリング２５ａを点灯させ、右側のガスバーナ１１は最大火力が規制されていないので外側のリング２５ｂを点灯させるようにした。
【００２０】
なお、両インジケータ２５の中心部分にブースタースイッチを設けてもよく、操作部２４にブースタースイッチを設けてもよい。このブースタースイッチは、操作されると一定時間最大火力の規制を解除するためのもので、例えばインジケータ２５の中心にブースタースイッチが取り付けられている場合には、左側のインジケータ２５の中心を押し操作する。すると左側のガスバーナ１２の最大火力に対する規制を一定時間（例えば１時間程度）解除し、火力調節範囲を図４（Ｂ）に示すものから同図（Ａ）に示すものに戻すようにした。なお、このブースタースイッチによる規制の解除はあくまで一時的なものであるので、インジケータ２５は外側のリング２５ｂを点滅させるようにした。
【００２１】
ところで、最大火力を規制された場合には、図４に示したものでは単に火力７にならないようにしただけであるが、図６に示すように、中間火力もあわせて変更するようにしてもよい。すなわち、右側のガスバーナ１１のように最大火力が規制されていない場合には火力１，３，５，７の４種類の火力で火力調節を行い、左側のガスバーナ１２のように最大火力が規制されている場合には、火力１，２，４，６の４種類の火力で火力調節を行うようにしてもよい。
【００２２】
上記各火力調節つまみ２１，２２，２３の回りには火力を示す発光部２ａが設けられている。本実施の形態ではこの発光部２ａを各々７個設けた。最大火力が規制されていない場合には、各火力に対応させて順次発光部２ａの発光する個数を増減すればよい。図４（Ｂ）に示すように、火力６までに規制された場合には、発光する個数を６個に減少させて右端の発光部２ａを発光させないようにしてもよい。
【００２３】
あるいは、図３に示すように、例えば固定板６２の下面６２Ｂ側に、火力２で開放される開口６２ａ２から火力１で開放される開口６２ａ１に向かって浅い溝通路６２ｂｐを形成しておき、最大火力が規制された場合には、火力１から火力２に変化させる際に、この溝通路６２ｂｐに長穴６ａが重なる新たな火力、いわば火力１．５を設けて、火力を７段階に変化させることにより全ての発光部２ａを順次発光させるようにしてもよい。
【００２４】
また、図６に示すように、実際に火力が４段階に変化する場合には、実際の火力とは関係なく火力調節つまみ２１，２２の回動角度による火力調節範囲を７等分して、全ての発光部２ａを順次発光させるようにすることが望ましい。なお、小バーナ１３については必ずしも火力を７段階に分けて増減する必要はないが、火力つまみ２１，２２の操作感とあわせるため、火力調節つまみ２３についても発光部２ａを７個設け、火力調節つまみ２３の火力調節範囲を７等分して、同様に全ての発光部２ａを順次発光させるようにすることが望ましい。
【００２５】
なお、図４および図６に示した火力変化のいずれの場合でも、最大火力を規制した効果を顕著にするため、火力６と火力７との変化量を他の火力の変化量より大きく設定した。
【００２６】
なお、本発明は上記した形態に限定されるものではなく、本発明の要旨を逸脱しない範囲内において種々の変更を加えてもかまわない。
【図面の簡単な説明】
【００２７】
【図１】本発明の一実施の形態の構成を示す図
【図２】火力調節部の構造を示す断面図
【図３】火力調節部の一部の機能を説明する斜視図
【図４】火力調節の状態を示す図
【図５】ガスコンロの前面の構成を示す図
【図６】火力調節の他の状態を示す図
【符号の説明】
【００２８】
１ ガスコンロ
４ 火力調節部
５ 制御部
１１ ガスバーナ
１２ ガスバーナ
１３ 小バーナ
２５ インジケータ
４１ ステッピングモータ
【図１】
2010133622.tif 000003
【図２】
2010133622.tif 000004
【図３】
2010133622.tif 000005
【図４】
2010133622.tif 000006
【図５】
2010133622.tif 000007
【図６】
2010133622.tif 000008